(57)【要約】【課題】モニタ画面のちらつきを抑制し、表示データが見やすいモニタリングデータの表示装置およびその表示方法を提供する。【解決手段】モニタリングデータの表示装置において、現在モニタリングデータと前回モニタリングデータを保持するデータ保持手段３と、データ保持手段３で保持した現在モニタリングデータと前回モニタリングデータの比較をおこなうデータ比較手段７と、データ比較手段７で比較した結果に基づき、データに変化があるときのみモニタ６の表示の更新を行なう表示更新制御手段８を備える。【選択図】    図１
2005327061.tif 000002
【特許請求の範囲】
【請求項１】
対象装置（１）から読み込んだモニタリングデータをモニタ（６）に表示するモニタリングデータの表示装置において、
前記表示装置（２）は、現在モニタリングデータと前回モニタリングデータを保持するためのデータ保持手段（３）と、前記データ保持手段（３）で保持した前記現在モニタリングデータと前記前回モニタリングデータの比較をおこなうためのデータ比較手段（７）と、前記データ比較手段（７）で比較した結果に基づき、データに変化があるときのみ前記モニタ（６）の表示の更新を行なうための表示更新制御手段（８）と、を備えたものであることを特徴とするモニタリングデータの表示装置。
【請求項２】
対象装置（１）から読み込んだモニタリングデータをモニタ（６）に表示するモニタリングデータの表示方法において、
現在モニタリングデータを前記対象装置（１）から読み込んで保持するステップ（ＳＴ１３）と、
保持した前記現在モニタリングデータと前回モニタリングデータとを比較するステップ（ＳＴ１４）と、
該比較の結果、データが異なる場合のみ、前記現在モニタリングデータを表示形式のデータに変換するステップ（ＳＴ１５）と、
該比較の結果、データが異なる場合のみ、前記モニタリングデータ表示を更新して前記モニタ（６）に前記現在モニタリングデータを表示するステップ（ＳＴ１６）と、
前記現在モニタリングデータを前回モニタリングデータとして保持するステップ（ＳＴ１７）と、を備えたことを特徴とするモニタリングデータの表示方法。
【請求項３】
対象装置（１）から読み込んだモニタリングデータをモニタ（６）に表示するモニタリングデータの表示方法において、
複数の現在モニタリングデータを１つのグループとし、その１つのグループを現在モニタリングデータ群として前記対象装置（１）から読み込んで保持するステップ（ＳＴ２３）と、
前記現在モニタリングデータ群と前回モニタリングデータ群とを比較するステップ（ＳＴ２４）と、
該比較の結果、データ群のデータが１つでも異なる場合のみ、前記現在モニタリングデータ群を表示形式のデータに変換するステップ（ＳＴ２５）と、
該比較の結果、データ群のデータが１つでも異なる場合のみ、前記モニタリングデータ表示を更新して、前記モニタ（６）に前記現在モニタリングデータ群を表示するステップ（ＳＴ２６）と、
前記現在モニタリングデータ群を前回モニタリングデータ群として保持するステップ（ＳＴ２７）と、を備えたことを特徴とするモニタリングデータの表示方法。
【請求項４】
対象装置（１）から読み込んだモニタリングデータをモニタ（６）に表示するモニタリングデータの表示方法において、
複数の現在モニタリングデータを１つのグループとし、その１つのグループを現在モニタリングデータ群として前記対象装置（１）から読み込んで保持するステップ（ＳＴ３３）と、
前記現在モニタリングデータ群を表示形式のデータに変換して保持するステップ（ＳＴ３４）と、
保持した前記現在モニタリングデータ群と前回モニタリングデータ群とを比較するステップ（ＳＴ３５）と、
該比較の結果、データ群のデータが１つでも異なる場合のみ、前記モニタリングデータ表示を更新して前記モニタ（６）に前記現在モニタリングデータ群を表示するステップ（ＳＴ３６）と、
前記表示形式のデータに変換した現在モニタリングデータ群を前回モニタリングデータ群として保持するステップ（ＳＴ３７）と、を備えたことを特徴とするモニタリングデータの表示方法。
【発明の詳細な説明】
【技術分野】
【０００１】
本発明は、対象装置のモニタリングデータを表示するモニタリングデータの表示装置およびその表示方法に関する。
【背景技術】
【０００２】
制御装置より制御情報を周期的に受け取り、ディスプレイなどの表示装置に制御情報を周期的に表示し、制御装置の状態などをモニタする保守ツールが考えられてきた（例えば、特許文献１参照）。
図７は、従来技術のモニタリングデータの表示装置と対象装置を示すブロック図である。
図７において、１０１は対象装置、１０２はモニタリングデータの表示装置、１０３は現在データ保持エリア、１０４はディスプレイすなわちモニタである。
以下、図７を用いて従来技術のモニタリングデータの表示装置の構成を説明する。
モニタリングデータの表示装置１０２は、対象装置１０１と通信で接続されており、対象装置１０１から通信を介して読み込んだ現在モニタリングデータを保持する現在データ保持エリア１０３と、表示器であるモニタ１０４とを備え、現在データ保持エリア１０３に保持している現在モニタリングデータを、モニタ１０４に表示する。
図８は、従来技術のモニタリングデータの表示方法を示すフローチャートである。
以下、図８を用いて、従来技術のモニタリングデータの表示方法を説明する。
先ず、モニタリングの継続を確認し（ステップＳＴ１０１）、継続しない場合は終了する。継続する場合は、対象装置１０１から対象装置１０１の現在モニタリングデータを読み込み保持し（ステップＳＴ１０２）、次に、読み込んだ対象装置１０１の現在モニタリングデータを表示形式のデータに変換する（ステップＳＴ１０３）。次に表示形式のデータに変換した現在モニタリングデータをモニタ１０４に表示する（ステップＳＴ１０４）。
以降、モニタリングを終了するまでステップＳＴ１０１〜１０４を繰り返す。
【特許文献１】特開平１１−１６７４１３（第６頁段落００４２参照）
【発明の開示】
【発明が解決しようとする課題】
【０００３】
ところが、従来技術では、変化していないデータに対しても表示データの更新が発生し、そのため、モニタ画面がちらつき、表示データが見にくいという問題があった。
本発明は、このような問題点に鑑みてなされたものであり、モニタ画面のちらつきを抑制し、表示データが見やすいモニタリングデータの表示装置およびその表示方法を提供することを目的とする。  
【課題を解決するための手段】
【０００４】
上記問題を解決するため、請求項１に記載の発明は、対象装置から読み込んだモニタリングデータをモニタに表示するモニタリングデータの表示装置において、前記表示装置は、現在モニタリングデータと前回モニタリングデータを保持するためのデータ保持手段と、前記データ保持手段で保持した前記現在モニタリングデータと前記前回モニタリングデータの比較をおこなうためのデータ比較手段と、前記データ比較手段で比較した結果に基づき、データに変化があるときのみ前記モニタの表示の更新を行なうための表示更新制御手段と、を備えたものであることを特徴としている。
また、請求項２に記載の発明は、対象装置から読み込んだモニタリングデータをモニタに表示するモニタリングデータの表示方法において、現在モニタリングデータを前記対象装置から読み込んで保持するステップと、保持した前記現在モニタリングデータと前回モニタリングデータとを比較するステップと、該比較の結果、データが異なる場合のみ、前記現在モニタリングデータを表示形式のデータに変換するステップと、該比較の結果、データが異なる場合のみ、前記モニタリングデータ表示を更新して前記モニタに前記現在モニタリングデータを表示するステップと、前記現在モニタリングデータを前回モニタリングデータとして保持するステップと、を備えたことを特徴としている。
また、請求項３に記載の発明は、対象装置から読み込んだモニタリングデータをモニタに表示するモニタリングデータの表示方法において、複数の現在モニタリングデータを１つのグループとし、その１つのグループを現在モニタリングデータ群として前記対象装置から読み込んで保持するステップと、前記現在モニタリングデータ群と前回モニタリングデータ群とを比較するステップと、該比較の結果、データ群のデータが１つでも異なる場合のみ、前記現在モニタリングデータ群を表示形式のデータに変換するステップと、該比較の結果、データ群のデータが１つでも異なる場合のみ、前記モニタリングデータ表示を更新して、前記モニタに前記現在モニタリングデータ群を表示するステップと、前記現在モニタリングデータ群を前回モニタリングデータ群として保持するステップと、を備えたことを特徴としている。
また、請求項４に記載の発明は、対象装置から読み込んだモニタリングデータをモニタに表示するモニタリングデータの表示方法において、複数の現在モニタリングデータを１つのグループとし、その１つのグループを現在モニタリングデータ群として前記対象装置から読み込むステップと、前記現在モニタリングデータ群を表示形式のデータに変換して保持するステップと、保持した前記現在モニタリングデータ群と前回モニタリングデータ群とを比較するステップと、該比較の結果、データ群のデータが１つでも異なる場合のみ、前記モニタリングデータ表示を更新して前記モニタに前記現在モニタリングデータ群を表示するステップと、前記表示形式のデータに変換した現在モニタリングデータ群を前回モニタリングデータ群として保持するステップと、を備えたことを特徴としている。
【発明の効果】
【０００５】
本発明によれば、必要な時だけ表示の更新を行なうようにしたので、表示のちらつきが抑えられ、モニタ画面の表示が見やすくなるという効果がある。
【発明を実施するための最良の形態】
【０００６】
以下、本発明の具体的実施例について、図に基づいて説明する。
【実施例１】
【０００７】
図１は本発明のモニタリングデータの表示装置と対象装置を示すブロック図である。
図１において、１はモニタリングの対象装置、２はモニタリングデータの表示装置、３はデータ保持手段、４は現在データ保持エリア、５は前回データ保持エリア、６はモニタ、７はデータ比較手段、８は表示更新制御手段である。
本発明の特徴は下記の点である。
すなわち、表示装置２は、データを保持するためのデータ保持手段３と、データの比較をおこなうためのデータ比較手段７と、表示を更新するための表示更新制御手段８を備え、データ保持手段３は、現在データ保持エリア４と前回データ保持エリア５を有し対象装置１から読み込んだ現在モニタリングデータと前回モニタリングデータを保持するものであり、データ比較手段７は、前記データ保持手段３で保持した現在モニタリングデータと前回モニタリングデータの比較をおこなうものであり、前記表示更新制御手段８は、前記データ比較手段７で比較した結果に基づきデータに変化があるときのみモニタ６の表示の更新を行なうものであるとした点である。
図２は本発明のモニタリングデータの表示方法を示すフローチャートである。
以下、図２を用いて本発明のモニタリングデータの表示方法を説明する。
対象装置１のモニタリングを開始する際、前回モニタリングデータを保持する前回データ保持エリア５を初期化する（ステップＳＴ１１）。次に、モニタリングを継続するか確認し（ステップＳＴ１２）、継続しない場合は終了する。継続する場合は、現在モニタリングデータを対象装置１から読み込む（ステップＳＴ１３）。
読み込んだ現在モニタリングデータと前回モニタリングデータと比較し（ステップＳＴ１４）、違いがある場合のみ、現在モニタリングデータを表示形式のデータに変換し（ステップＳＴ１５）、モニタ６の表示を更新する（ステップＳＴ１６）。ステップＳＴ１４で違いがない場合、またはステップＳＴ１６で表示更新後、読み込んだ現在モニタリングデータを前回モニタリングデータとして保持する（ステップＳＴ１７）。
以降、モニタリングを終了するまでこの処理（ステップＳＴ１２〜１７）を繰り返す。
【実施例２】
【０００８】
次に、本発明の第２実施例を図に基づいて説明する。
図３は本発明のモニタリングデータの表示装置と対象装置を示すブロック図である。
図３において、１はモニタリングの対象装置、３はデータ保持手段、６はモニタ、７はデータ比較手段、８は表示更新制御手段、２２はモニタリングデータの表示装置、２３は現在データ群保持エリア、２４は前回データ群保持エリアである。
本実施例が第１実施例と異なる点は、データ保持手段３の部分であり、第１実施例の構成要素である現在データ保持エリア４、前回データ保持エリア５の替わりに、本実施例は現在データ群保持エリア２３、前回データ群保持エリア２４で構成した点、すなわち関連ある複数のモニタリングデータを１つのグループ（モニタリングデータ群）とした点である。
図４は本発明のモニタリングデータの表示方法を示すフローチャートである。
以下、図４を用いて本発明のモニタリングデータの表示方法を説明する。
対象装置１のモニタリングを開始する際、前回モニタリングデータ群を保持する前回データ群保持エリア２４を初期化する（ステップＳＴ２１）。次に、モニタリングを継続するか確認し（ステップＳＴ２２）、継続しない場合は終了する。継続する場合は、現在モニタリングデータ群を対象装置１から読み込む（ステップＳＴ２３）。
読み込んだ現在モニタリングデータ群と前回モニタリングデータ群とを比較し（ステップＳＴ２４）、モニタリングデータに１つでも違いがある場合のみ、現在モニタリングデータを表示形式の現在モニタリングデータ群に変換し（ステップＳＴ２５）、モニタ６の表示を更新する（ステップＳＴ２６）。ステップＳＴ２４で違いがない場合、またはステップＳＴ２６の表示更新後、ステップＳＴ２３で読み込んでいた現在モニタリングデータ群を前回モニタリングデータ群として保持する（ステップＳＴ２７）。
以降モニタリングを終了するまでこの処理（ステップＳＴ２２〜２７）を繰り返す。
【実施例３】
【０００９】
次に、本発明の第３の実施例を図に基づいて説明する。
図５は本発明のモニタリングデータの表示装置と対象装置を示すブロック図である。
図５において、１はモニタリングの対象装置、３はデータ保持手段、６はモニタ、７はデータ比較手段、８は表示更新制御手段、２３は現在データ群保持エリア、３２はモニタリングデータの表示装置、３３は表示形式に変換後の現在データ群保持エリア、３４は表示形式に変換後の前回データ群保持エリアである。
本実施例が第２実施例と異なる点は、データ保持手段３の部分であり、第２実施例の構成要素である前回データ群保持エリア２４の替わりに、本実施例は表示形式に変換後の現在データ群保持エリア３３、表示形式に変換後の前回データ群保持エリア３４を加えた点、すなわち現在モニタリングデータ群と前回モニタリングデータ群を、表示形式で保持する構成とした点である。
図６は本発明のモニタリングデータの表示方法を示すフローチャートである。
以下、図６を用いて本発明のモニタリングデータの表示方法を説明する。
対象装置１のモニタリングを開始する際、前回データ群保持エリア３４を初期化する（ステップＳＴ３１）。次に、モニタリングを継続するか確認し（ステップＳＴ３２）、継続しない場合は終了する。継続する場合は、現在モニタリングデータ群を対象装置１から読み込んで保持する（ステップＳＴ３３）。
次に現在モニタリングデータ群を表示形式の現在モニタリングデータ群に変換して保持する（ステップＳＴ３４）、変換後の現在モニタリングデータ群を前回モニタリングデータ群と比較し（ステップＳＴ３５）、違いがある場合のみ、モニタ６のモニタリングデータ群の表示を更新する（ステップＳＴ３６）。ステップＳＴ３５で違いがない場合、またはステップＳＴ３６の表示更新後、表示形式に変換した現在モニタリングデータ群を前回モニタリングデータ群として保持する（ステップＳＴ３７）。
以降モニタリングを終了するまでこの処理（ステップＳＴ３２〜３７）を繰り返す。
【００１０】
以上述べたように、本発明の実施例に係るモニタリングデータの表示装置およびその表示方法は、現在モニタリングデータと前回モニタリングデータを保持するデータ保持手段３と、データ保持手段３で保持した現在モニタリングデータと前回モニタリングデータの比較をおこなうデータ比較手段７と、データ比較手段７で比較した結果に基づき、データに変化があるときのみモニタ６の表示の更新を行なう表示更新制御手段８を備える構成とし、現在モニタリングデータが、前回モニタリングデータと異なっており、表示データの更新がある時のみ、表示データの更新を実行するようにしているので、不必要な画面の更新が抑制され、表示上のちらつきを抑えることができる。
【産業上の利用可能性】
【００１１】
制御装置などから制御情報を受け取り、モニタに制御情報を表示し、制御装置の状態などを監視するモニタ装置などに広く適用が可能である。
【図面の簡単な説明】
【００１２】
【図１】本発明のモニタリングデータの表示装置と対象装置を示すブロック図
【図２】本発明のモニタリングデータの表示方法を示すフローチャート
【図３】本発明のモニタリングデータの表示装置と対象装置を示すブロック図
【図４】本発明のモニタリングデータの表示方法を示すフローチャート
【図５】本発明のモニタリングデータの表示装置と対象装置を示すブロック図
【図６】本発明のモニタリングデータの表示方法を示すフローチャート
【図７】従来技術のモニタリングデータの表示装置と対象装置を示すブロック図
【図８】従来技術のモニタリングデータの表示方法を示すフローチャート
【符号の説明】
【００１３】
１、１０１  モニタリングの対象装置
２、２２、３２、１０２  モニタリングデータの表示装置
３  データ保持手段
４、１０３  現在データ保持エリア
５  前回データ保持エリア
６、１０４  モニタ
７  データ比較手段
８  表示更新制御手段
２３  現在データ群保持エリア
２４  前回データ群保持エリア
３３  表示形式に変換後の現在データ群保持エリア
３４  表示形式に変換後の前回データ群保持エリア
【図１】
2005327061.tif 000003
【図２】
2005327061.tif 000004
【図３】
2005327061.tif 000005
【図４】
2005327061.tif 000006
【図５】
2005327061.tif 000007
【図６】
2005327061.tif 000008
【図７】
2005327061.tif 000009
【図８】
2005327061.tif 000010